(57)【要約】      （修正有）【課題】１台の美容器で、超音波振動による美容と、イオン導入による美容とに使い分け得るとともに、両機能による美容を同時に行わせることもできるイオン導入機能付き超音波美容器を提供する。【解決手段】器体ケース１のヘッド部３に超音波発生器１１で発生させた超音波を出力させる振動板４を設けた超音波美容器において、振動板４は導電性を有するものを使用し、該振動板４にイオン導入用の一方の電極端子２１を接続する一方、器体ケース１の外面の適所にイオン導入用の他方の電極端子２２を接続したアース板５を設けているとともに、超音波振動による美容とイオン導入による美容とを、それぞれ単独で行うか併用して行うかをスイッチ操作により選択できるようにしていることにより、１台の美容器であっても、単にスイッチ操作のみで、超音波振動機能単独と、イオン導入機能単独と、両機能の併用とに切換えて使用することができる。【選択図】図３
0003144978.tif 000002
【実用新案登録請求の範囲】
【請求項１】
器体ケース（１）のヘッド部（２）に超音波発生器（１１）で発生させた超音波を出力させる振動板（４）を設けた超音波美容器において、
前記振動板（４）は導電性を有するものを使用し、
該振動板（４）にイオン導入用の一方の電極端子（２１）を接続する一方、前記器体ケース（１）の外面の適所にイオン導入用の他方の電極端子（２２）を接続したアース板（５）を設けているとともに、
超音波振動による美容とイオン導入による美容とを、それぞれ単独で行うか併用して行うかをスイッチ操作により選択できるようにしている、
ことを特徴とするイオン導入機能付き超音波美容器。
【考案の詳細な説明】
【技術分野】
【０００１】
本願考案は、超音波振動により肌の美容を行えるようにした超音波美容器に関し、さらに詳しくは超音波振動に加えてイオン導入による美容も行えるようにしたイオン導入機能付き超音波美容器に関するものである。
【背景技術】
【０００２】
近年、肌（特に顔肌）の美容用として、ハンディタイプの超音波美容器やイオン導入器が普及している。
【０００３】
超音波美容器は、肌に超音波振動を付与することで肌に対して主としてマッサージ機能を発生させるものであり、イオン導入器は、皮膚深層部に化粧品の有効成分を浸透させたり肌のクレンジング（汚れ成分の除去）を行うものである。
【０００４】
又、超音波による美容とイオン導入による美容とを同時に行うと、美肌効果が増進することが知られている。
【考案の開示】
【考案が解決しようとする課題】
【０００５】
ところで、上記の超音波美容器とイオン導入器とは、共に肌の美容に使用されることは共通しているが、それぞれ機能（効能）が異なっており、美容目的にしたがって超音波振動による美容とイオン導入による美容とを使い分けたり、あるいは両機能による美容を同時に行わせたりし得るようにすることが好ましい。
【０００６】
そこで、本願考案は、１台の美容器で、超音波振動による美容と、イオン導入による美容とに使い分け得るとともに、両機能による美容を同時に行わせることもできるようにしたイオン導入機能付き超音波美容器を提供することを目的としている。
【課題を解決するための手段】
【０００７】
本願考案は、上記課題を解決するための手段として次の構成を有している。尚、本願考案は、イオン導入機能付き超音波美容器を対象にしている。
【０００８】
本願考案のイオン導入機能付き超音波美容器では、器体ケースのヘッド部に超音波発生器で発生させた超音波を出力させる振動板を設けている。この振動板は、導電性を有するものを使用している。尚、この種のイオン導入機能付き超音波美容器は、主として直流電流で作動させる。
【０００９】
又、この超音波美容器には、振動板にイオン導入用の一方の電極端子を接続する一方、器体ケースの外面の適所にイオン導入用の他方の電極端子を接続したアース板を設けていることにより、イオン導入機能（クレンジング機能も含む）を付与している。尚、振動板側電極端子とアース板側電極端子とは人体を介して通電される。
【００１０】
そして、このイオン導入機能付き超音波美容器では、超音波振動による美容とイオン導入による美容とを、それぞれ単独で行うか併用して行うかをスイッチ操作により選択できるようにしている。
【００１１】
尚、イオンによる美容機能としては、化粧水の有効成分を皮膚深層部に押込む機能のほかに、肌のクレンジング（主として毛穴内の汚れ成分の除去）を行う機能があるが、その両機能は振動板側電極端子の極性を変更することで行える。
【００１２】
本願考案のイオン導入機能付き超音波美容器は、次の各操作でそれぞれの機能を実行させることができる。尚、超音波振動機能及びイオン導入機能を効率よく実行させるには、振動板と肌面との間に水分（ジェル）を介在させておく必要がある。
【００１３】
まず、超音波振動で美容を行うには、超音波発生スイッチをＯＮにすると、超音波発生器によりヘッド部の振動板を超音波振動させ、その振動板を肌のトリートメント部位に接触させることにより、肌にマッサージ機能を付与できる。
【００１４】
又、イオン導入機能でクレンジングを行うには、イオン導入スイッチをＯＮにし、振動板側電極端子を−極性（汚れ成分は一般に＋極性）にした状態で、ヘッド部の振動板を肌のトリートメント部位に接触させることにより、肌の汚れ成分（＋極性）を振動板（−極性）側に電気的に吸引することができる。
【００１５】
又、イオン導入機能で化粧水の有効成分を皮膚内に浸透させる場合は、イオン導入スイッチをＯＮにし、振動板側電極端子を＋極性（化粧水の有効成分は＋極性のものが多い）にした状態で、ヘッド部の振動板を肌のトリートメント部位に接触させることにより、化粧水の有効成分（＋極性）を振動板（＋極性）による電気的反発作用により皮膚内に押込むことができる。
【００１６】
さらに、超音波振動機能とイオン導入機能とを併用する場合は、超音波発生スイッチとイオン導入スイッチとをそれぞれＯＮにし、振動板側電極端子を美容目的の極性にした状態で、ヘッド部の振動板を肌のトリートメント部位に接触させることにより、超音波振動により肌にマッサージ機能を付与できると同時にイオン導入機能（クレンジング又は化粧水有効成分の浸透）による美容が行える。
【考案の効果】
【００１７】
本願考案のイオン導入機能付き超音波美容器では、１台の美容器であっても、単にスイッチ操作のみで、超音波振動機能単独と、イオン導入機能単独と、両機能の併用とに切換えて使用することができ、使い勝手のよいイオン導入機能付き超音波美容器を提供できるという効果がある。
【実施例】
【００１８】
図１〜図４を参照して本願実施例のイオン導入機能付き超音波美容器を説明する。尚、以下の説明では、本願のイオン導入機能付き超音波美容器を単に美容器と表現する。
【００１９】
図１は本願実施例の美容器の下面図、図２は同美容器の上面図、図３は図１の長手方向断面図（III−III断面図）、図４はこの美容器の電気回路図である。
【００２０】
この実施例の美容器は、図１〜図３に示すように細長い器体ケース１を用いたハンディタイプ式のものが採用されている。
【００２１】
器体ケース１はプラスチック製で、その中央寄り部分に握り部２を有し、先端部に下面側に向けて突出するヘッド部３が設けられている。
【００２２】
この美容器には、図４に示すように超音波発生回路１０とイオン導入回路２０とが組み込まれていて、後述するように肌に対してヘッド部３から超音波振動機能とイオン導入機能を付与し得るようになっている。
【００２３】
器体ケース１のヘッド部３には、超音波発生回路１０によって超音波振動させる振動板４が取付けられている。この振動板４には、導電性を有する材料（例えばステンレス鋼板）が使用されている。
【００２４】
器体ケース１の握り部２の上面には、アース板（例えばステンレス鋼板製）５が取付けられている。このアース板５は、美容器使用時において器体ケース１を手で握ったときに手のひらが接触する位置にある。
【００２５】
この美容器は、直流電源７で作動させるが、この実施例では、図３に示すように商業電源をＡ−Ｄ変換器（符号７部分）で直流に変換し、電気コードのコネクタ８を器体ケース１の接続口６に接続して、直流電流を美容器に給電するようにしている。尚、他の実施例では、美容器に使用される直流電源７として、乾電池を使用することもできる。
【００２６】
超音波発生回路１０は、図４に示すように、超音波を発生させる超音波発生器１１と、振動板４に取付けた超音波振動子１２と、超音波発生スイッチ１３と、後述の電圧調整器１４とを有している。超音波発生器１１は、電圧調整器１４で指定された電圧に対応した出力の超音波を発生する。尚、この実施例では、超音波発生回路１０の全体が器体ケース１内に組み込まれているが、他の実施例では超音波発生回路１０の超音波発生器１１部分を器体ケース１外に設けてもよい。
【００２７】
そして、この超音波発生回路１０は、超音波発生スイッチ１３をＯＮにすると、超音波発生器１１からの超音波出力が超音波振動子１２に伝達されて振動板４を超音波振動させるようになっている。尚、この実施例の美容器では超音波振動の周波数を４.７ＭＨZで行うようにしているが、この種の超音波美容器の一般的な超音波周波数は３〜６ＭＨZの範囲であり、本願の場合も一般的な超音波周波数（３〜６ＭＨZ）の範囲で適宜に設定できる。
【００２８】
イオン導入回路２０は、図４に示すように、振動板４に接続された振動板側電極端子２１と、アース板５に接続されたアース側電極端子２２と、イオン導入スイッチ２３と、極性変換器２４と、電圧調整器２５と、電流計２６と、後述の機能を有する制御器２７とを有している。
【００２９】
振動板側電極端子２１とアース側電極端子２２とは、人体を介して電気的に接続されるものである。即ち、イオン導入スイッチ２３をＯＮにし、器体ケース１の握り部２を手で握った状態（アース板５に手が接触する）で、ヘッド部３の振動板４を肌のトリートメント部位に接触させると、イオン導入回路２０が閉路されて該イオン導入回路２０を直流電流が流れるようになっている。
【００３０】
イオン導入回路２０の極性変換器２４は、振動板側電極端子２１とアース側電極端子２２との極性を可逆的に切換えるもので、この実施例では、イオン導入スイッチ２３部分で切換えを行うようにしている。即ち、イオン導入スイッチ２３をＯＦＦ状態から１回押すと振動板側電極端子２１が−極性となり、２回目を押すと該振動板側電極端子２１が＋極性に切換わり、もう１回（３回目）押すとＯＦＦに戻るようになっている。尚、肌のクレンジングをする際には、汚れ成分が一般に＋極性であるために振動板側電極端子２１（振動板４）を−極性にして行い、化粧水の有効成分（＋極性のものが多い）を皮膚内にイオン導入させる際には、振動板側電極端子２１（振動板４）を＋極性にして行う。
【００３１】
器体ケース１の下面部には、図１に示すように各種スイッチ（超音波発生スイッチ１３とイオン導入スイッチ２３）や出力表示部３０が設けられている。出力表示部３０には、超音波振動機能時を示す超音波表示灯３１と、その超音波出力レベルを３段階に表示する各レベル表示灯３１ａ，３１ｂ，３１ｃと、イオン導入機能時を示すイオン導入表示灯３２と、そのイオン導入出力レベルを３段階に表示する各レベル表示灯３２ａ，３２ｂ，３２ｃと、イオン導入の極性表示灯３３ａ，３３ｂがそれぞれ設けられている。
【００３２】
この実施例の美容器は、次の各操作でそれぞれの機能を実行させることができる。尚、超音波振動機能及びイオン導入機能を効率よく実行させるには、振動板４と肌面との間に水分を介在させておく必要があり、肌のトリートメント部位に予めジェル（イオン導入の場合は化粧水）を塗布しておく。
【００３３】
まず、超音波振動で美容を行うには、超音波発生スイッチ１３をＯＮにする（イオン導入スイッチ２３はＯＦＦのまま）と、超音波発生器１１によりヘッド部３の振動板４を超音波振動させ、その振動板４を肌のトリートメント部位に接触させることにより、肌にマッサージ機能を付与できる。尚、超音波振動機能時には、出力表示部３０の超音波表示灯３１と、そのときの超音波出力レベルを示すレベル表示灯（３１ａ，３１ｂ，３１ｃのいずれか、又はレベルに応じた個数）とが点灯する。
【００３４】
又、イオン導入機能でクレンジングを行うには、イオン導入スイッチ２３を１回押して（超音波発生スイッチ１３はＯＦＦのまま）、振動板側電極端子を−極性にした状態で、ヘッド部３の振動板４を肌のトリートメント部位に接触させることにより、肌の汚れ成分（＋極性）を振動板４（−極性）側に電気的に吸引することができる。尚、クレンジング機能時には、出力表示部３０のイオン導入表示灯３２と、そのときのイオン導入出力レベルを示すレベル表示灯（３２ａ，３２ｂ，３２ｃのいずれか、又はレベルに応じた個数）と、イオン導入の−極性表示灯３３ａとが点灯する。
【００３５】
又、イオン導入機能で化粧水の有効成分を皮膚内に浸透させる場合は、イオン導入スイッチ２３を２回押して（超音波発生スイッチ１３はＯＦＦのまま）、振動板側電極端子２１を＋極性にした状態で、ヘッド部３の振動板４を肌のトリートメント部位に接触させることにより、化粧水の有効成分（＋極性）を振動板４（＋極性）による電気的反発作用により皮膚内に押込むことができる。尚、イオン導入機能時には、出力表示部３０のイオン導入表示灯３２と、そのときのイオン導入出力レベルを示すレベル表示灯（３２ａ，３２ｂ，３２ｃのいずれか、又はレベルに応じた個数）と、イオン導入の＋極性表示灯３３ｂとが点灯する。
【００３６】
さらに、超音波振動機能とイオン導入機能とを併用する場合は、超音波発生スイッチ１３とイオン導入スイッチ２３とをそれぞれＯＮにし、振動板側電極端子２１を美容目的の極性にした状態で、ヘッド部３の振動板４を肌のトリートメント部位に接触させることにより、超音波振動により肌にマッサージ機能を付与できると同時にイオン導入機能（クレンジング又は化粧水有効成分の浸透）による美容が行える。尚、両機能を併用させた場合には、出力表示部３０の所定の各表示灯が点灯する。
【００３７】
このように、この実施例の美容器では、１台の美容器であっても、単にスイッチ操作のみで、超音波振動機能単独と、イオン導入機能単独と、両機能の併用とに切換えて使用することができ、使い勝手のよいイオン導入機能付き超音波美容器を提供できる。
【００３８】
ところで、イオン導入機能を安定して実行させるには、イオン導入回路２０を流れる電流値を一定にして行うことが好ましいが、振動板４が接する肌の状態によっては流れる電流値が変化してしまう。即ち、イオン導入機能によるトリートメント時には、振動板４部分を肌面に摺動させてトリートメント部位を順次変えていくが、そのとき振動板４が接する肌の水分量が変化すると電気抵抗が変化し、そのとき電圧が一定であると流れる電流値が変化する。例えば、振動板４を水分量の多い部位から少ない部位に移動させたとき、又は時間が経過して肌に塗布した水分が蒸発したとき等には、電気抵抗値が大きくなって流れる電流値が小さくなり、その結果、イオン導入機能が低下してしまう。
【００３９】
そこで、この実施例の美容器では、イオン導入機能時にイオン導入回路２０を流れる電流値を一定（例えば１ミリアンペア）にするための制御（定電流制御）を自動で行うようにしている。即ち、この実施例では、図４に示すように、イオン導入回路２０を流れる電流値を電流計２６で検出して、該電流計２６での検出信号（検出電流値）を制御器２７に常時出力している（図４の信号線Ｓ1）。他方、制御器２７には、予めイオン導入機能に必要な所定の基準電流値（例えば１ミリアンペア）を設定している。そして、電流計２６からの検出電流値が制御器２７に設定している基準電流値の許容範囲から外れたときに（小さくなったときに）、制御器２７から電圧調整器２５に対して電圧調整信号Ｓ2（検出電流値が基準電流値に適合するような電圧値に補正する信号）を出力して、イオン導入回路２０中を流れる電流値を上記基準電流値に適合させる（近づける）ような制御が自動で行われる。従って、この美容器では、イオン導入機能時にイオン導入回路２０を流れる電流値を常時一定（基準電流値）にした状態で行えるようになっている。
【００４０】
他方、超音波発生回路１０による振動板４からの出力も、トリートメント部位の水分量によって変動する性質がある。即ち、振動板４が接触するトリートメント部位の水分量が多いと超音波振動出力が大きくなり、逆に該トリートメント部位の水分量が少ないと超音波振動出力が小さくなる性質がある。
【００４１】
そこで、この実施例の美容器では、図４に示すように、上記イオン導入回路２０を流れる電流値（電流計２６で検出されている）が上記基準電流値より許容範囲を超えて小さくなって制御器２７からイオン導入回路２０側の電圧調整器２５に対して上記電圧調整信号Ｓ2を発したときに、同時に該制御器２７から超音波発生回路１０側の電圧調整器１４に対して超音波発生器１１の出力を高い側に調整するような電圧調整信号Ｓ3を発するようにしている。
【００４２】
この実施例では、超音波発生回路１０側の電圧調整器１４は、超音波振動出力を低（１２Ｖ）、中（１６Ｖ）、高（２０Ｖ）の３段階で調整できるようになっており、上記のように制御器２７からイオン導入回路２０の電圧調整器２５に対して電圧調整信号Ｓ2が発せられたときに、該制御器２７から超音波発生回路１０側の電圧調整器１４に対して、上記３段階（低、中、高）の超音波振動出力の中から、イオン導入回路２０側の電圧調整器２５への電圧補正量に見合った出力に相当する電圧調整信号Ｓ3を出力するようにしている。
【００４３】
このように、超音波発生回路１０からの超音波振動出力を、イオン導入回路２０に流れる電流値の変化（具体的には振動板４と肌のトリートメント部位間の水分量）に対応して自動調整し得るようにすると、超音波振動出力を肌の水分量に見合った（好適な）出力に自動調整でき、美容効率を一層良好にし得るという機能が付加される。
【００４４】
尚、ヘッド部３の振動板４が上記介在水分量の少ない部位から多い部位に移動したときには、イオン導入回路２０中に流れる電流値が一時的に高くなるが、そのときには電流計２６からの電流値信号Ｓ1を受けて制御器２７から電圧調整器２５に対して印加電圧を下げる制御が行われる（高くなった電流値を設定電流値に戻す）とともに、制御器２７から超音波発生回路１０中の電圧調整器１４に対しても印加電圧を下げる制御が行われる。
【図面の簡単な説明】
【００４５】
【図１】本願考案の実施例に係るイオン導入機能付き超音波美容器の下面図である。
【図２】図１の美容器の上面図である。
【図３】図１のIII−III断面図である。
【図４】図１の美容器の電気回路図である。
【符号の説明】
【００４６】
１は器体ケース、２は握り部、３はヘッド部、４は振動板、５はアース板、７は直流電源、１０は超音波発生回路、１１は超音波発生器、１２は超音波振動子、１３は超音波発生スイッチ、１４は電圧調整器、２０はイオン導入回路、２１は振動板側電極端子、２２はアース側電極端子、２３はイオン導入スイッチ、２４は極性変換器、２５は電圧調整器、２６は電流計、２７は制御器である。
【図１】
0003144978.tif 000003
【図２】
0003144978.tif 000004
【図３】
0003144978.tif 000005
【図４】
0003144978.tif 000006